(57)【要約】      （修正有）【課題】コヒーレントノイズを低減する。【解決手段】検波回路２２の前段にデジタルフィルタ２１を備える。デジタルフィルタ２１は、デジタル信号ＳＤに含まれる周波数帯域Ｆｃ±ΔＦの成分は通過させるが、ＤＣオフセット成分は除去するハイパスフィルタである。したがって、デジタルフィルタ２１は、ＤＣオフセットが検波回路２２に入力される前に、ＤＣオフセットを除去することができるので、周波数ＦｃのノイズＮの発生を抑制することが可能となり、その結果、コヒーレントノイズを低減することができる。【選択図】図１
2011206287.tif 000002
【特許請求の範囲】
【請求項１】
所定の周波数の成分を含むアナログ信号をデジタル信号に変換するＡＤコンバータと、
前記デジタル信号に含まれるＤＣオフセットの成分を除去するデジタルフィルタと、
前記ＤＣオフセットの成分が除去されたデジタル信号に含まれる前記所定の周波数の成分をＤＣ成分に変換し、検波を行う検波回路と、
を有する信号処理装置。
【請求項２】
前記検波回路は、前記所定の周波数と同じ周波数の信号を用いて検波を行う、請求項１に記載の信号処理装置。
【請求項３】
前記検波回路は、前記ＤＣオフセットの成分が除去されたデジタル信号に対して検波を行うためのｎ段の周波数変換部を有する、請求項１に記載の信号処理装置。
【請求項４】
前記デジタルフィルタは、ハイパスフィルタである、請求項１〜３のうちのいずれか一項に記載のノイズ発生装置。
【請求項５】
所定の周波数の成分を含むアナログ信号をデジタル信号に変換するＡＤコンバータと、
前記デジタル信号に対して検波を行うためのｎ（ｎは２以上の整数）段の周波数変換部を有する検波回路と、を有する信号処理装置であって、
前記検波回路は、
ｋ（ｋ＜ｎ）段目の周波数変換部とｋ＋１段目の周波数変換部との間に、前記ｋ段目の周波数変換部から出力されたデジタル信号に含まれるＤＣオフセットの成分を除去するデジタルフィルタを有する、
信号処理装置。
【請求項６】
前記検波回路のｉ（ｉ＝１〜ｎ）段目の周波数変換部は、以下の条件
【数３】
2011206287.tif 000005
を満たす周波数Ｆｉの信号を用いて周波数変換を行う、請求項５に記載の信号処理装置。
【請求項７】
前記デジタルフィルタは、バンドパスフィルタである、請求項５又は６に記載のノイズ発生装置。
【請求項８】
前記検波回路の後段に、前記検波回路から出力されたデジタル信号に含まれるノイズを除去するためのデジタルフィルタを有する、請求項１〜７のうちのいずれか一項に記載の信号処理装置。
【請求項９】
前記ＡＤコンバータの前段に、アナログ信号の周波数を変換する周波数変換回路を備え、
前記ＡＤコンバータは、前記周波数変換回路で周波数が変換された前記アナログ信号を、デジタル信号に変換する、請求項１〜８のうちのいずれか一項に記載の信号処理装置。
【請求項１０】
請求項１〜９のうちのいずれか一項に記載の信号処理装置を有する磁気共鳴イメージング装置。
【発明の詳細な説明】
【技術分野】
【０００１】
本発明は、ノイズを低減するための信号処理装置、および磁気共鳴イメージング装置に関する。
【背景技術】
【０００２】
磁気共鳴イメージング装置では、受信系に混入するノイズを除去することは極めて重要である。受信系に混入するノイズを除去する技術として、例えば、特許文献１の技術が知られている。
【先行技術文献】
【特許文献】
【０００３】
【特許文献１】特開平10-127603号公報
【発明の概要】
【発明が解決しようとする課題】
【０００４】
受信系に混入するノイズは、様々であるが、特に、磁気共鳴信号の中心周波数に同期したノイズ（いわゆるコヒーレントノイズ）は、画像の中心に明瞭なドットとして現れるので、コヒーレントノイズはできるだけ低減することが望まれている。
【課題を解決するための手段】
【０００５】
所定の周波数の成分を含むアナログ信号をデジタル信号に変換するＡＤコンバータと、
前記デジタル信号に含まれるＤＣオフセットの成分を除去するデジタルフィルタと、
前記ＤＣオフセットの成分が除去されたデジタル信号に含まれる前記所定の周波数の成分をＤＣ成分に変換し、検波を行う検波回路と、
を有する信号処理装置。
【発明の効果】
【０００６】
デジタルフィルタでＤＣオフセットを除去することによって、コヒーレントノイズを低減することができる。
【図面の簡単な説明】
【０００７】
【図１】本発明の第１の実施形態の信号処理装置を示す図である。
【図２】デジタルフィルタ２１を備えていない信号処理装置１００′を示す図である。
【図３】高周波数Ｆｃのノイズが出たときの様子を示す図である。
【図４】第２の実施形態の信号処理装置を示す図である。
【図５】第３の実施形態の信号処理装置を示す図である。
【図６】図１に示す信号処理装置１００を磁気共鳴イメージング装置に適用した例を示す図である。
【発明を実施するための形態】
【０００８】
以下、発明を実施するための形態について説明するが、本発明は、以下の形態に限定されることはない。
【０００９】
（１）第１の実施形態
図１は、本発明の第１の実施形態の信号処理装置を示す図である。
信号処理装置１００は、ＡＤ（Analog Digital）コンバータ１０と、デジタル回路２０とを有している。
【００１０】
ＡＤコンバータ１０には、アナログ信号ＳＡが入力される。アナログ信号ＳＡは、中心周波数Ｆｃを中心とした±ΔＦの周波数の信号を含む高周波帯域（例えば、ＭＨｚ）のアナログ信号である。ＡＤコンバータ１０は、アナログ信号ＳＡをデジタル信号ＳＤに変換する。したがって、デジタル信号ＳＤは、Ｆｃ±ΔＦの情報を有している。しかし、ＡＤコンバータ１０には、僅かながら、本質的にＤＣオフセットが存在している。したがって、ＡＤコンバータ１０から出力されたデジタル信号ＳＤは、図１に示すように、周波数帯域Ｆｃ±ΔＦの成分の他に、ＤＣオフセットの成分も含んでいる。尚、デジタル信号ＳＤは、説明の便宜上、周波数成分に分けて２本の線で示されている。デジタル信号ＳＤは、デジタル回路２０に入力される。
【００１１】
デジタル回路２０は、デジタルフィルタ２１、検波回路２２、およびデジタルフィルタ２３を有している。
【００１２】
デジタルフィルタ２１は、デジタル信号ＳＤに含まれる周波数帯域Ｆｃ±ΔＦの成分は通過させるが、ＤＣオフセット成分は除去するハイパスフィルタである。したがって、デジタルフィルタ２１が出力するデジタル信号ＳＤ１は、周波数帯域Ｆｃ±ΔＦの成分を含んでいるが、ＤＣオフセット成分は除去されている。デジタル信号ＳＤ１は、検波回路２２に入力される。
【００１３】
検波回路２２は、デジタル信号ＳＤ１に対して検波を行う回路であり、ダイレクト・デジタル・シンセサイザ（Direct
Digital Synthesizer）２２１および乗算器２２２を有している。
【００１４】
ダイレクト・デジタル・シンセサイザ２２１は、周波数Ｆｃの正弦波を生成する。乗算器２２２は、周波数Ｆｃの正弦波を、デジタル信号ＳＤ１に掛け合わせる。これによって、デジタル信号ＳＤ１の周波数Ｆｃは、ＤＣ（周波数＝０）に変換される。したがって、検波回路２２は、デジタル信号ＳＤ１を、低周波数帯域ＤＣ±ΔＦの成分を含むデジタル信号ＳＤ２に変換する。デジタル信号ＳＤ２は、デジタルフィルタ２３に入力される。
【００１５】
デジタルフィルタ２３は、デジタル信号ＳＤ２の低周波数帯域（ＤＣ±ΔＦ）の成分は通過させるが、高周波数のノイズ成分は除去するローパスフィルタである。したがって、デジタルフィルタ２３は、デジタル信号ＳＤ２から高周波数のノイズ成分が除去されたデジタル信号ＳＤ３を出力することができる。
【００１６】
信号処理装置１００は、２つのデジタルフィルタ２１および２３を有している。デジタルフィルタ２１はＤＣオフセットを除去し、デジタルフィルタ２３は高周波ノイズを除去する。したがって、信号処理装置１００は、デジタル信号ＳＤから、ＤＣオフセットおよび高周波ノイズを除去することができる。
【００１７】
また、信号処理装置１００は、検波回路２２の前段にデジタルフィルタ２１を備えることによって、アナログ信号ＳＡの中心周波数Ｆｃに同期したノイズ（いわゆるコヒーレントノイズ）を低減することができるという効果がある。この効果が得られる理由を説明するために、以下に、検波回路２２の前段にデジタルフィルタ２１を備えない場合に、どのような現象が発生するかについて、図２および図３を参照しながら説明する。
【００１８】
図２は、デジタルフィルタ２１を備えていない信号処理装置１００′を示す図である。
【００１９】
図２に示す信号処理装置１００′は、デジタルフィルタ２１を備えていない点を除いて、図１に示す信号処理装置１００と同じ構成である。
【００２０】
ＡＤコンバータ１０から出力されたデジタル信号ＳＤは、デジタル回路２０′の検波回路２２に入力される。
【００２１】
検波回路２２は、デジタル信号ＳＤに周波数Ｆｃの正弦波を掛け合わせる。したがって、デジタル信号ＳＤに含まれる高周波数帯域Ｆｃ±ΔＦの成分は、低周波数帯域ＤＣ±ΔＦの成分に変換される。しかし、デジタル信号ＳＤにはＤＣオフセット成分も含まれているので、デジタル信号ＳＤに周波数Ｆｃの正弦波を掛け合わせることによって、ＤＣオフセット成分は、高周波数Ｆｃの信号に変換される。したがって、検波回路２２から出力されるデジタル信号ＳＤ２は、低周波数帯域ＤＣ±ΔＦの成分だけでなく、高周波数Ｆｃに変換されたＤＣオフセットの成分も含んでいる。しかし、検波回路２２の後段にはデジタルフィルタ２３が備えられている。デジタルフィルタ２３は、ローパスフィルタであるので、デジタル信号ＳＤ２のうち、高周波数Ｆｃに変換されたＤＣオフセット成分を除去する。したがって、デジタルフィルタ２３は、デジタル信号ＳＤ２からＤＣオフセット成分が除去されたデジタル信号ＳＤ３を出力することができる。
【００２２】
しかし、デジタル回路はノイズを出し易く、周波数Ｆｃで動作する部分が存在すると、周波数Ｆｃのノイズとなる可能性がある。例えば、検波回路２２が検波を行うことによってＤＣオフセットが周波数Ｆｃの信号に変換されると、その変換動作が周辺に周波数Ｆｃのノイズを出す可能性がある（図３参照）。
【００２３】
図３は、高周波数Ｆｃのノイズが出たときの様子を示す図である。
ノイズＮは、放射、電源への混入、その他の信号線への混入などによって、放散する。この結果、ノイズＮが、ＡＤコンバータ１０の入力に達してしまうことが起り得る。ノイズＮがＡＤコンバータ１０に入力されると、ノイズＮもデジタル信号に変換される。したがって、ＡＤコンバータ１０から出力されるデジタル信号ＳＤには、ＤＣオフセット成分、アナログ信号ＳＡによる周波数帯域Ｆｃ±ΔＦの成分の他に、ノイズＮによる周波数Ｆｃの成分が含まれる。ノイズＮの周波数Ｆｃは、アナログ信号ＳＡの中心周波数Ｆｃと同じであるので、検波回路２２で検波を行うと、検波回路２２から出力されるデジタル信号ＳＤ２には、アナログ信号ＳＡによるＤＣ成分の他に、ノイズＮによるＤＣ成分も含まれることになる。デジタルフィルタ２３は、アナログ信号ＳＡによるＤＣ成分と、ノイズＮによるＤＣ成分との区別をすることができないので、ノイズＮによるＤＣ成分は、デジタルフィルタ２３では除去することができない。したがって、アナログ信号ＳＡの中心周波数Ｆｃに同期したコヒーレントノイズを除去することができないという問題がある。
【００２４】
以上の考察から、コヒーレントノイズは、周波数ＦｃのノイズＮの発生が原因の一つであると考えられる。したがって、周波数ＦｃのノイズＮの発生を抑制することができれば、コヒーレントノイズを低減することができると考えられる。周波数ＦｃのノイズＮは、検波回路２２がＤＣオフセットを高周波数Ｆｃに変換する動作によって発生すると考えられるので、ＤＣオフセットが検波回路２２に入力される前に、ＤＣオフセットを除去することができれば、周波数ＦｃのノイズＮの発生は抑制されると考えられる。そこで、第１の実施形態では、周波数ＦｃのノイズＮの発生を抑制するために、図１に示すように、検波回路２２の前段にデジタルフィルタ２１を備えている。デジタルフィルタ２１は、デジタル信号ＳＤに含まれる周波数帯域Ｆｃ±ΔＦの成分は通過させるが、ＤＣオフセット成分は除去するハイパスフィルタである。したがって、デジタルフィルタ２１は、ＤＣオフセットが検波回路２２に入力される前に、ＤＣオフセットを除去することができるので、周波数ＦｃのノイズＮの発生を抑制することが可能となり、その結果、コヒーレントノイズを低減することができる。
【００２５】
尚、検波回路２２は、デジタル信号ＳＤ１の検波を１段で行っているが、検波を複数段で行ってもよい。
【００２６】
（２）第２の実施形態
第１の実施形態では、中心周波数Ｆｃのアナログ信号ＳＡをＡＤコンバータ１０でデジタル信号ＳＤに変換する例について説明したが、第２の実施形態では、アナログ信号ＳＡの中心周波数Ｆｃを中間周波数Ｆifに変換してからＡＤコンバータ１０でデジタル信号ＳＤに変換する例について説明する。
【００２７】
図４は、第２の実施形態の信号処理装置を示す図である。
第２の実施形態の信号処理装置１０１については、第１の実施形態の信号処理装置１００との相違点を主に説明する。第２の実施形態の信号処理装置１０１は、第１の実施形態の信号処理装置１００と比較すると、以下の点（１）および（２）が異なっている。
（１）第２の実施形態の信号処理装置１０１は、ＡＤコンバータ１０の前段に周波数変換回路３０を備えている。
（２）第１の実施形態では、ダイレクト・デジタル・シンセサイザ２２１は、周波数Ｆｃの正弦波を出力するが（図１参照）、第２の実施形態では、ダイレクト・デジタル・シンセサイザ２２１は、周波数Ｆifの正弦波を出力する。
【００２８】
周波数変換回路３０は、周波数Ｆloのアナログ信号ＬＯを用いて、周波数Ｆｃ±ΔＦのアナログ信号ＳＡを、周波数Ｆif±ΔＦのアナログ信号ＳＡ′に変換する回路である。ただし、Ｆlo、Ｆｃ、およびＦifの間には、以下の関係が成り立つ。
Ｆif＝|Ｆｃ−Ｆlo|      ・・・（１）
【００２９】
ＡＤコンバータ１０の前段に周波数変換回路３０を備えることによって、ＡＤコンバータ１０には、周波数帯域Ｆif±ΔＦの成分を含むアナログ信号ＳＡ′が入力される。したがって、ＡＤコンバータ１０が出力するデジタル信号ＳＤには、ＤＣオフセット成分と、周波数帯域Ｆif±ΔＦの成分とが含まれることになる。デジタル信号ＳＤに含まれているＤＣオフセットはデジタルフィルタ２１によって除去されるので、デジタルフィルタ２１は、周波数帯域Ｆif±ΔＦの成分を含むデジタル信号ＳＤ１を出力する。デジタル信号ＳＤ１は、検波回路２２に入力される。検波回路２２のダイレクト・デジタル・シンセサイザ２２１は、周波数Ｆifの正弦波を出力するので、デジタル信号ＳＤ１の周波数帯域Ｆif±ΔＦの成分は、低周波数帯域ＤＣ±ΔＦの成分に変換される。したがって、検波回路２２は、低周波数帯域ＤＣ±ΔＦの成分を含むデジタル信号ＳＤ２を出力する。デジタル信号ＳＤ２は、デジタルフィルタ２３でノイズが除去され、デジタル信号ＳＤ３として出力される。
【００３０】
図４に示すように、必要に応じて、アナログ信号ＳＡの中心周波数Ｆｃを中間周波数Ｆifに変換する周波数変換回路３０を備えてもよい。例えば、Ｆｃ＝６３．８６[ＭＨｚ]の場合、Ｆlo＝８０[ＭＨｚ]に設定することによって、Ｆif＝１６．１４[ＭＨｚ]に変換することができる。
【００３１】
第２の実施形態でも、検波回路２２の前段でＤＣオフセットが除去されるので、コヒーレントノイズを低減することができる。
【００３２】
（３）第３の実施形態
第１および第２の実施形態では、検波は１段で行っているが、第３の実施形態では、検波を複数段で行う場合について説明する。
【００３３】
図５は、第３の実施形態の信号処理装置１０２を示す図である。
信号処理装置１０２は、ＡＤコンバータ１０と、デジタル回路２０１とを有している。第３の実施形態のＡＤコンバータ１０は、第１の実施形態のＡＤコンバータ１０と同一構造であるので、説明は省略する。
【００３４】
デジタル回路２０１は、検波回路２２０およびデジタルフィルタ２３を有している。検波回路２２０は、複数段で検波を行うように構成されている。検波回路２２０は、ｎ段の周波数変換部２２＿ｉ（ｉ＝１〜ｎ）と、デジタルフィルタ２１１とを有している。
【００３５】
周波数変換部２２＿ｉは、ダイレクト・デジタル・シンセサイザ２２１と乗算器２２２とを有している。周波数変換部２２＿ｉのダイレクト・デジタル・シンセサイザ２２１は、周波数Ｆｉ（ｉ＝１〜ｎ）の正弦波を発生する。ただし、周波数変換部２２＿ｉの周波数Ｆｉは、以下の関係式（２）が成り立つように定められている。
【数１】
2011206287.tif 000003
【００３６】
次に、信号処理装置１０２の動作について説明する。
ＡＤコンバータ１０から出力されたデジタル信号ＳＤは、検波回路２２０の１段目の周波数変換部２２＿１に入力される。デジタル信号ＳＤは、周波数帯域Ｆｃ±ΔＦの成分の他に、ＤＣオフセット成分が含まれている。周波数変換部２２＿１は、デジタル信号ＳＤに含まれている周波数帯域Ｆｃ±ΔＦの成分を、周波数帯域（Ｆｃ−Ｆ１）±ΔＦの成分にダウンコンバートし、一方、ＤＣオフセット成分を、周波数Ｆ１のＤＣオフセット成分にアップコンバートする。したがって、周波数変換部２２＿１から出力されるデジタル信号ＳＤ１には、周波数帯域（Ｆｃ−Ｆ１）±ΔＦの成分と、周波数Ｆ１のＤＣオフセット成分とが含まれている。周波数変換部２２＿１から出力されるデジタル信号ＳＤ１は、２段目の周波数変換部２２＿２に入力される。
【００３７】
２段目の周波数変換部２２＿２は、入力されたデジタル信号ＳＤ１に含まれている周波数帯域（Ｆｃ−Ｆ１）±ΔＦの成分を、周波数帯域（Ｆｃ−Ｆ１−Ｆ２）±ΔＦの成分にダウンコンバートし、一方、ＤＣオフセット成分を、周波数（Ｆ１＋Ｆ２）のＤＣオフセット成分にアップコンバートする。したがって、周波数変換部２２＿２から出力されるデジタル信号ＳＤ２には、周波数帯域（Ｆｃ−Ｆ１−Ｆ２）±ΔＦの成分と、周波数（Ｆ１＋Ｆ２）のＤＣオフセット成分とが含まれている。周波数変換部２２＿２から出力されるデジタル信号ＳＤ２は、３段目の周波数変換部（図示せず）に入力される。
【００３８】
以下同様に、周波数変換されたデジタル信号は、次段の周波数変換部に入力されるたびに更に周波数変換され、ｋ段目の周波数変換部２２＿ｋによって、デジタル信号ＳＤｋに変換される。デジタル信号ＳＤｋには、周波数帯域（Ｆｃ−Ｆ１−Ｆ２・・・−Ｆｋ）±ΔＦの成分と、周波数（Ｆ１＋Ｆ２＋・・・＋Ｆｋ）のＤＣオフセット成分とが含まれている。しかし、ｋ段目の周波数変換部２２＿ｋとｋ＋１段目の周波数変換部２２＿ｋ＋１との間には、デジタルフィルタ２１１が備えられている。デジタルフィルタ２１１は、周波数帯域（Ｆｃ−Ｆ１−Ｆ２・・・−Ｆｋ）±ΔＦの成分を通過させるが、周波数（Ｆ１＋Ｆ２＋・・・＋Ｆｋ）のＤＣオフセット成分は除去するバンドパスフィルタである。したがって、デジタルフィルタ２１１が出力するデジタル信号ＳＤｋ′は、周波数帯域（Ｆｃ−Ｆ１−Ｆ２・・・−Ｆｋ）±ΔＦの成分を含んでいるが、ＤＣオフセット成分は除去されている。デジタル信号ＳＤｋ′は、ｋ＋１段目の周波数変換部２２＿ｋ＋１に入力され、ダウンコンバートされる。以下同様に、周波数変換されたデジタル信号は、次段の周波数変換部に入力されるたびに更に周波数変換され、最終段（ｎ段目）の周波数変換部２２＿ｎによって、低周波数帯域（ＤＣ±ΔＦ）成分を含むデジタル信号ＳＤｎに変換される。デジタル信号ＳＤｎは、デジタルフィルタ２３によって、高周波数のノイズ成分が除去される。したがって、デジタル信号ＳＤｎから高周波数のノイズ成分が除去されたデジタル信号ＳＤｎ′を出力することができる。
【００３９】
第３の実施形態では、ｋ段目の周波数変換部２２＿ｋとｋ＋１段目の周波数変換部２２＿ｋ＋１との間に備えられたデジタルフィルタ２１１によって、ＤＣオフセットを除去している。したがって、周波数ＦｃのノイズＮの発生を抑制することができるので、コヒーレントノイズを低減することができる。
【００４０】
尚、第３の実施形態では、１段目〜ｋ段目の周波数変換部２２＿１〜２２＿ｋは、デジタルフィルタ２１１の前段に備えられている。したがって、１段目〜ｋ段目の周波数変換部２２＿１〜２２＿ｋの動作によって、周波数Ｆｉ（ｉ＝１〜ｋ）のノイズや、以下の式（３）で表される周波数Ｆｊのノイズなどが発生し、ＡＤコンバータ１０の入力に達してしまうことが起こり得る。
【数２】
2011206287.tif 000004
【００４１】
しかし、ノイズの周波数ＦｉおよびＦｊは、アナログ信号ＳＡの中心周波数Ｆｃとは異なる周波数であるので、デジタルフィルタ２１１によって除去することができる。したがって、周波数Ｆｉのノイズや、周波数Ｆｊのノイズが、コヒーレントノイズの原因になることはない。
【００４２】
上記の第１〜第３の実施形態の信号処理装置は、アナログ信号をデジタル信号に変換し、デジタル信号に対して検波を行う必要がある装置に適用することができる。以下に、第１〜第３の実施形態の信号処理装置のうち、第１の実施形態の信号処理装置１００（図１参照）を磁気共鳴イメージング装置に適用した例について説明する。
【００４３】
図６は、図１に示す信号処理装置１００を磁気共鳴イメージング装置に適用した例を示す図である。
【００４４】
磁気共鳴イメージング（ＭＲＩ（Magnetic Resonance Imaging））装置１は、磁場発生装置２、テーブル３、クレードル４、受信コイル５などを有している。
【００４５】
磁場発生装置２は、被検体１３が収容されるボア２１と、超伝導コイル２２と、勾配コイル２３と、送信コイル２４とを有している。超伝導コイル２２は静磁場Ｂ0を印加し、勾配コイル２３は勾配磁場を印加する。また、送信コイル２４はＲＦパルスを送信する。尚、超伝導コイル２２の代わりに、永久磁石を用いてもよい。
【００４６】
クレードル４は、テーブル３からボア２１に移動できるように構成されている。クレードル４によって、被検体１３はボア２１に搬送される。
【００４７】
受信コイル５は、被検体１３の頭部１３ａに取り付けられている。受信コイル５は、頭部１３ａからの磁気共鳴信号を受信する。
【００４８】
ＭＲＩ装置１は、更に、シーケンサ６、送信器７、勾配磁場電源８、受信器９、中央処理装置９１、入力装置９２、および表示装置９３を有している。
【００４９】
シーケンサ６は、中央処理装置９１の制御を受けて、スキャンを実行するための情報を送信器７および勾配磁場電源８に送る。具体的には、シーケンサ６は、中央処理装置９１の制御を受けて、ＲＦパルスの情報（中心周波数、バンド幅など）を送信器７に送り、勾配磁場の情報（勾配磁場の強度など）を勾配磁場電源８に送る。
【００５０】
送信器７は、シーケンサ６から送られた情報に基づいて、ＲＦコイル２４を駆動する駆動信号を出力する。
【００５１】
勾配磁場電源８は、シーケンサ６から送られた情報に基づいて、勾配コイル２３を駆動する駆動信号を出力する。
【００５２】
受信器９は、受信コイル５で受信された磁気共鳴信号を信号処理する。受信器９は、図１に示す信号処理装置１００によって構成されている。受信器９で処理された信号は、中央処理装置９１に伝送される。
【００５３】
中央処理装置９１は、シーケンサ６および表示装置９３に必要な情報を伝送したり、受信器９から受け取った信号に基づいて画像を再構成するなど、ＭＲＩ装置１の各種の動作を実現するように、ＭＲＩ装置１の各部の動作を制御する。中央処理装置９１は、例えばコンピュータ（computer）によって構成される。
【００５４】
入力装置９２は、オペレータ１４の操作に応じて、種々の命令を中央処理装置９１に入力する。表示装置９３は種々の情報を表示する。
【００５５】
ＭＲＩ装置１は、上記のように構成されている。次に、ＭＲＩ装置１の動作について説明する。
【００５６】
ＭＲＩ装置１は、被検体をスキャンする。被検体をスキャンすることによって、受信コイル５は、中心周波数Ｆｃを中心とした±ΔＦの周波数帯域の磁気共鳴信号を受信する。ここで、例えば、Ｆｃ＝６３．８６ＭＨｚ、ΔＦ＝２５０ｋＨｚである。受信された磁気共鳴信号は、Ｆｃ±ΔＦのアナログ信号ＳＡとして、受信器９のＡＤコンバータ１０に入力される。
【００５７】
ＡＤコンバータ１０に入力されたアナログ信号ＳＡは、デジタル信号ＳＤに変換され、デジタル回路２０に入力される。デジタル回路２０に入力されたアナログ信号ＳＤは、上述したように、ＤＣオフセットの除去、検波、ノイズの除去などが行われる。したがって、デジタル回路２０が出力するデジタル信号ＳＤ３は、低周波数帯域ＤＣ±ΔＦの成分を含んでいるが、ＤＣオフセットおよびノイズは除去されている。デジタル回路２０が出力するデジタル信号ＳＤ３は、中央処理装置９１に入力される。中央処理装置９１は、入力されたデジタル信号ＳＤ３をフーリエ変換し、画像を再構成する。
【００５８】
ＭＲＩ装置１では、受信コイル５で受信された磁気共鳴信号をＡＤコンバータ１０でデジタルに変換する。したがって、ＡＤコンバータ１０から出力されたデジタル信号ＳＤには、ＤＣオフセットが含まれている。上述したように、ＤＣオフセットを除去せずに検波回路２２で検波を行ってしまうと、周波数Ｆｃのノイズが発生し（図３参照）、コヒーレントノイズの原因となる。一般的に、コヒーレントノイズが混入されたままで画像を再構成すると、コヒーレントノイズが、画像の中心に明瞭なドットとして現れるという問題があるので、コヒーレントノイズは、画像を再構成する前にできるだけ除去する必要がある。そこで、ＭＲＩ装置１では、画像を再構成する前にコヒーレントノイズが除去できるように、信号処理装置１００（図１参照）を受信器９として用いている。信号処理装置１００は、検波の前にＤＣオフセットを除去するためのデジタルフィルタ２１を有しているので、信号処理装置１００を受信器９として用いることによって、コヒーレントノイズを低減することができ、高品質な画像を得ることができる。
【００５９】
尚、図６では、第１の実施形態の信号処理装置１００（図１参照）を磁気共鳴イメージング装置に適用した例について説明したが、第２又は第３の実施形態の信号処理装置を磁気共鳴イメージング装置に適用してもよい。
【符号の説明】
【００６０】
１０  ＡＤコンバータ
２０  デジタル回路
２１、２３  デジタルフィルタ
２２  検波回路
２２１  ダイレクト・デジタル・シンセサイザ
２２２  乗算器
【図１】
2011206287.tif 000006
【図２】
2011206287.tif 000007
【図３】
2011206287.tif 000008
【図４】
2011206287.tif 000009
【図５】
2011206287.tif 000010
【図６】
2011206287.tif 000011